(57)【要約】      （修正有）【課題】一つのロック装置（鎌錠）で左右一対の開き戸を確実にオートロックすることができるようにする。【解決手段】錠本体１４は、一方の開き戸５に取り付け可能なケーシング１５と、このケーシング１５内に揺動自在に設けられかつ同ケーシング１５から出没自在なフック部１６を有するラッチ１７と、両開き戸４，５の閉鎖時に磁力で受け部材１４側に移動するようにケーシング１５内に左右方向に移動自在に収納された駆動部材１８と、ラッチ１７のフック部１６を没入側へ付勢するための付勢部材１９と、駆動部材１８の左右移動と連動してラッチ１７をケーシング１５から出没させる連動機構２０と、突出状態にあるラッチ１７を没入状態に戻す解錠操作を行うための操作部材２１と、を備えている。【選択図】      図１
2006266057.tif 000002
【特許請求の範囲】
【請求項１】
観音開き式の左右一対の開き戸のうちの一方の開き戸に取り付けられる錠本体と、この錠本体から突出したフック状のラッチが引っ掛かるように他方の開き戸における前記錠本体に対応する位置に取り付けられる受け部材とからなる開き戸用鎌錠であって、
前記錠本体は、前記一方の開き戸に取り付け可能なケーシングと、このケーシング内に揺動自在に設けられかつ同ケーシングから出没自在なフック部を有する前記ラッチと、前記両開き戸の閉鎖時に磁力で前記受け部材側に移動するように前記ケーシング内に左右方向に移動自在に収納された駆動部材と、前記ラッチのフック部を没入側へ付勢するための付勢部材と、前記駆動部材の左右移動と連動して前記ラッチを前記ケーシングから出没させる連動機構と、突出状態にある前記ラッチを没入状態に戻す解錠操作を行うための操作部材と、を備えていることを特徴とする開き戸用鎌錠。
【請求項２】
前記連動機構は、前記受け部材に対して接近離反自在となるように前記ケーシング内に揺動自在に枢着されたリンクアームと、このリンクアームを前記駆動部材に対して相対回動自在に連結する第一ピンと、同リンクアームを前記ラッチに対して相対回動自在に連結する第二ピンとから構成されている請求項１に記載の開き戸用鎌錠。
【請求項３】
前記リンクアームの先端部に前記第二ピンが配置され、同リンクアームの中途部に前記第一ピンが配置されている請求項２に記載の開き戸用鎌錠。
【請求項４】
前方開口状のボックス本体と、このボックス本体の前方開口部に枢着された観音開き状の左右一対の開き戸と、この左右一対の開き戸に設けられた請求項１〜３のいずれかに記載の開き戸用鎌錠とを備えている収納ボックス。
【発明の詳細な説明】
【技術分野】
【０００１】  本発明は、地震の揺れによって収納物品が外部に飛散するのを防止するための開き戸用鎌錠とこれを有する収納ボックスに関する。
【背景技術】
【０００２】  例えば、食器棚、本棚、タンス、化粧ケース、吊り戸棚等の家具に代表される開き戸付きの収納ボックスでは、前面が開放されたボックス本体に左右一対の開き戸が観音開き状に枢着されている。かかる収納ボックスでは、収納物品の出し入れを頻繁に行うため、一般に施錠装置を設ける場合が少なく、また、施錠装置を設けたとしてもユーザーが余りこれを使用しない場合が多い。【０００３】  このため、昨今の大地震の経験からも分かるように、大震度の地震等のために収納ボックスが大きく揺らされると、その揺れによって開き戸が勝手に開いて食器等の収納物品が外に飛び出し、これによって収納物品が破損したり居住者に当たって負傷の原因になったりすることがある。
そこで、本願出願人は、地震の揺れの検出に基づいて自動的に突出するロック部材を有するロック装置本体をボックス本体の内面に取り付け、かつ、そのロック部材に掛止されるブラケットを開き戸の内面に取り付けてなる地震時ロック装置を既に開発している（例えば、特許文献１及び２参照）。【０００４】
【特許文献１】  特開平８−３２２６６３号公報
【特許文献２】  特開平９−１７７４１２号公報
【発明の開示】
【発明が解決しようとする課題】
【０００５】  上記従来の地震時ロック装置では、ロック部材を有するロック装置本体をボックス本体の内面に取り付け、かつ、ロック部材に掛止されるブラケットを開き戸の内面に取り付けているので、一つの地震時ロック装置で一つの開き戸しかオートロックすることができない。このため、召し合わせ部材を有していない観音開き式の開き戸の場合には、左右の開き戸に対応して地震時ロック装置も一対設ける必要があり、この点で収納ボックスの製造コストが高くなるという欠点がある。【０００６】  また、上記従来の地震時ロック装置では、ロック装置本体の内部に設けた重り部材（転動ボール等）によって地震の揺れを検出し、この重り部材の動きを検出してロック部材をロック位置に突出させることにより、地震時にのみロック装置本体を作動させているので、地震の揺れ方によってはロック部材がブラケットを掛止し損ねる恐れがあった。
そこで、本発明の課題は、一つのロック装置（鎌錠）で左右一対の開き戸を確実にオートロックすることができるようにして、耐震ロック機能を有する収納ボックスの製造コストを低減する点にある。
【課題を解決するための手段】
【０００７】  上記課題を解決するため、本発明は次の技術的手段を採用した。
すなわち、本発明は、観音開き式の左右一対の開き戸のうちの一方の開き戸に取り付けられる錠本体と、この錠本体から突出したフック状のラッチが引っ掛かるように他方の開き戸における前記錠本体に対応する位置に取り付けられる受け部材とからなる開き戸用鎌錠であって、前記錠本体は、前記一方の開き戸に取り付け可能なケーシングと、このケーシング内に揺動自在に設けられかつ同ケーシングから出没自在なフック部を有する前記ラッチと、前記両開き戸の閉鎖時に磁力で前記受け部材側に移動するように前記ケーシング内に左右方向に移動自在に収納された駆動部材と、前記ラッチのフック部を没入側へ付勢するための付勢部材と、前記駆動部材の左右移動と連動して前記ラッチを前記ケーシングから出没させる連動機構と、突出状態にある前記ラッチを没入状態に戻す解錠操作を行うための操作部材と、を備えていることを特徴とする。【０００８】  上記の本発明によれば、付勢部材がラッチのフック部を没入側に付勢しているので、左右一対の開き戸が開放状態にある場合はラッチがケーシング内のアンロック位置になっている。他方、両開き戸が閉鎖状態になると、駆動部材が磁力で受け部材側に移動し、連動機構によってラッチのフック部がケーシングの外部に突出するロック位置となるように当該ラッチが揺動する。これによってラッチのフック部が受け部材に引っ掛かり、左右一対の開き戸が自動的にロックされることになる。
なお、操作部材を解錠操作して突出状態になっているラッチを没入状態に戻すことにより、錠本体によるオートロックを手動で解錠することができる。【０００９】  このように、本発明によれば、磁力によってフック部が自動的に飛び出す錠本体が観音開き式の左右一対の開き戸のうちの一方の開き戸に取り付けられ、そのフック部が引っ掛かる受け部材が他方の開き戸に取り付けられるので、これら一対の開き戸を一つのロック装置（鎌錠）で確実にオートロックすることができる。
上記の本発明において、駆動部材の左右移動をラッチの揺動運動に変換する連動機構の具体的構造は特に限定されるものではなく、ギア式やリンク式等の種々の機構を採用することができる。【００１０】  もっとも、上記連動機構としては、受け部材に対して接近離反自在となるようにケーシング内に揺動自在に枢着されたリンクアームと、このリンクアームを駆動部材に対して相対回動自在に連結する第一ピンと、同リンクアームをラッチに対して相対回動自在に連結する第二ピンとから構成されたリンク式を採用することが好ましい。
かかる一つのリンクアームで主構成されたリンク式の連動機構の場合、ギア等の構造が複雑な部品が必要なギア式に比べて、当該リンクアームやピンといった構造が簡単な部品のみで連動機構を構成することができ、この点で製造コストを低減することができる。【００１１】  また、上記リンクアームよりなる連動機構を採用する場合においては、そのリンクアームの先端部に第二ピンを配置し、同リンクアームの中途部に第一ピンを配置することが好ましい。
この場合、付勢部材によるラッチに対する戻り力がリンクアームによって梃子の原理で増幅して駆動部材に伝達されることになる。このため、ラッチを没入状態に戻すための付勢部材を駆動部材を没入側へ戻すための付勢部材として兼用することができ、部品点数を低減することができる。
【発明の効果】
【００１２】  本発明によれば、一つのロック装置（鎌錠）で左右一対の開き戸を確実にオートロックすることができるので、耐震ロック機能を有する収納ボックスの製造コストを低減することができる。
【発明を実施するための最良の形態】
【００１３】  以下、図面を参照しつつ、本発明の実施の形態を説明する。
図４は、本発明の開き戸用鎌錠１を採用した食器棚（収納ボックス）２を示しており、この食器棚２は、内部に食器が収納される前方開口状のボックス本体３を備え、このボックス本体３の前方開口部の上半部分には左右一対の開き戸４，５が観音開き状に枢着されている。また、ボックス本体３の前方開口部の中央部分には左右一対の引き出し６，６が、かつ、同開口部の下半部分には左右一対の引き戸７，７が設けられている。【００１４】  開き戸５の縁部内面には、ボックス本体３の天板８に設けたマグネットに対応する鉄片（図示せず）が取り付けられていて、ボックス本体３に向かって揺動された開き戸５の鉄片を本体３側のマグネットで吸着することにより、当該開き戸４，５を閉鎖位置に保持できるようになっている。ボックス本体３の天板８には、地震等の揺れによって当該食器棚２が倒れるのを防止するワイヤー９の固定金具１０が固着され、このワイヤー９の先端は部屋の上隅に設けた掛止金具１１に引っ掛けられている。【００１５】  上記食器棚２の上半部分に位置する開き戸装置には、左右一対の開き戸４，５をオートロックするための前記開き戸用鎌錠１が設けられている。
図１〜図３に示すように、本実施形態の鎌錠１は、左右一対の開き戸４，５のうちの一方の開き戸５（図例では右側）に取り付けられた錠本体１３と、この錠本体１３から突出したフック状のラッチ１７が引っ掛かるように他方の開き戸４（図例では左側）における錠本体１３に対応する位置に取り付けられた受け部材１４とから構成されている。【００１６】  このうち、錠本体１３は、一方の開き戸５に取り付け可能なケーシング１５と、このケーシング１５内に揺動自在に設けられかつ同ケーシング１５から出没自在なフック部１６を有するラッチ１７と、両開き戸４，５の閉鎖時に磁力で受け部材１４側に移動するようにケーシング１５内に左右方向に移動自在に収納された駆動部材１８と、ラッチ１７のフック部１６を没入側へ付勢するための付勢部材１９と、駆動部材１８の左右移動と連動してラッチ１７をケーシング１５から出没させる連動機構２０と、突出状態にあるラッチ１７を没入状態に戻す解錠操作を行うための操作部材２１（図２及び図３参照）と、を備えている。【００１７】  図１及び図２に示すように、ケーシング１５は、右側の開き戸５の先端部表面に取り付けられている。このケーシング１５は、縦長でかつ中空のほぼ直方体に形成された合成樹脂製の箱体よりなり、その前面プレートの上下方向中央部に、手動で回動操作できる回動つまみよりなる前記操作部材２１が回動自在に取り付けられている。
ラッチ１７は、上記操作部材２１が同軸心状に連結されたボス部２３と、このボス部２３から上方に一体に延設された前記フック部１６とからなり、このフック部１６がケーシング１５の左側壁部に形成されたスリット２４から出没自在となるように、当該ケーシング１５内に収納されている。【００１８】  駆動部材１８は、ラッチ１７のフック部１６の直下において左右方向に直線運動できるようにケーシング１５内に横向きに収納された棒状部材よりなる。この駆動部材１８の芯材は永久磁石よりなり、前記受け部材１４側に設けられた金属磁性体よりなる吸着部材２５に吸着されて、開き戸４，５の閉鎖時に受け部材１４側（図１の左側）に移動するようになっている。なお、本実施形態では、付勢部材１９は、ラッチ１７のボス部２３に外嵌された巻きバネによって構成されている。【００１９】  連動機構２０は、受け部材１４に対して接近離反自在となるようにケーシング１５内に揺動自在に枢着されたリンクアーム２６と、このリンクアーム２６を駆動部材１８に対して相対回動自在に連結する第一ピン２７と、同リンクアーム２６をラッチ１７に対して相対回動自在に連結する第二ピン２８とから構成されている。
上記リンクアーム２６は、その下端部にある揺動支点２９がケーシング１５内の下部に配置されており、その先端部に配置された上記第二ピン２８がラッチ１７のほぼ中央部分に連結されている。また、リンクアーム２６の中途部に配置された上記第一ピン２７は、駆動部材１８のほぼ中央部分に連結されている。【００２０】  前記受け部材１４は、錠本体１３のケーシング１５と取付高さが一致するように、左側の開き戸４の先端部表面に取り付けられている。この受け部材１４は、錠本体１３のケーシング１５とほぼ同じ外形の、縦長でかつ中空のほぼ直方体状に形成された合成樹脂製の箱体よりなる。受け部材１４の右側壁部には、ラッチ１７のフック部１６を受け入れるスリット３０が形成されており、このスリット３０から少し内部に入った所に、同フック部１６によって引っ掛けられるピン状の係合部材３１が設けられている。【００２１】  上記構成に係る開き戸用鎌錠１では、巻きバネよりなる付勢部材１９がラッチ１７のフック部１６を常に没入側に付勢していることから、左右一対の開き戸４，５が開放状態にある場合は、ラッチ１７がケーシング１５内のアンロック位置（図１の実線位置）になっている。
そして、両開き戸４，５が閉鎖状態（図４の状態）になると、駆動部材１８が吸着部材２５に吸着されて磁力で受け部材１４側（図例では左側）に移動し、リンクアーム２６を介してラッチ１７のフック部１６がケーシング１５の外部に突出するロック位置（図１の仮想線位置）となるように、当該ラッチ１７が揺動する。【００２２】  これによってラッチ１７のフック部１６が受け部材１４の係合部材３１に引っ掛かり、左右一対の開き戸４，５が当該鎌錠１によって自動的にロックされることになる。
一方、開き戸用鎌錠１を解錠するには、回動つまみよりなる操作部材２１を解錠方向（図例では右回り）に回動させてラッチ１７を没入状態に戻し、この状態で右側の開き戸５を手前に引っ張るようにすればよい。【００２３】  なお、本発明は上記実施形態に限定されるものではなく、例えば、吸着部材２５を永久磁石で構成することもできる。
また、図例では、錠本体１３及び受け部材１４がそれぞれ両開き戸４，５の先端部分の表面に取り付けられているが、これらは同先端部分の内面側に取り付けることもできるし、同先端部分の内部に埋設することもできる。もっとも、この場合でも、操作部材２１は開き戸４，５の表面側に露出させる必要がある。【００２４】  更に、本発明に係る開き戸用鎌錠１は食器棚２だけでなく、本棚、タンス、化粧ケース、システムキッチンの吊り戸棚等の耐震対策が必要な種々の収納ボックスに使用することができる。
【図面の簡単な説明】
【００２５】
【図１】  開き戸用鎌錠の正面断面図である。
【図２】  錠本体の側面断面図である。
【図３】  開き戸用鎌錠の正面図である。
【図４】  開き戸用鎌錠が取り付けられた食器棚の斜視図である。
【符号の説明】
【００２６】  １      開き戸用鎌錠
２      食器棚（収納ボックス）
３      ボックス本体
４      開き戸（左側）
５      開き戸（右側）
１３      錠本体
１４      受け部材
１５      ケーシング
１６      フック部
１７      ラッチ
１８      駆動部材
１９      付勢部材
２０      連動機構
２１      操作部材
２６      リンクアーム
２７      第一ピン
２８      第二ピン
【図１】
2006266057.tif 000003
【図２】
2006266057.tif 000004
【図３】
2006266057.tif 000005
【図４】
2006266057.tif 000006